(57)【特許請求の範囲】
【請求項１】
所定の定位置に配置した原稿の画像を読み取ることができるとともに、所定の経路中を搬送される原稿の画像をその搬送中に読み取ることもできる画像読み取り装置であって、  所定の定位置に配置した原稿の画像を読み取るときに、その原稿を載置して、原稿画像を臨ませる第１のガラスと、
所定の経路中を搬送される原稿の画像をその搬送中に読み取るときに、その原稿の画像を臨ませる第２のガラスと、
前記第１ガラス及び前記第２ガラスを覆う閉位置と、これらガラスを覆わず、前記第１ガラス上に原稿を載置することができる開位置の間を開閉可能に設置されており、閉位置にあるときには前記第２ガラスに臨む位置を通る所定経路を通して原稿を搬送することができる原稿搬送装置と、
前記第１ガラス上に載置された原稿の画像を光学的に読み取ることができるとともに、前記第２ガラスに臨む位置を搬送される原稿の画像を光学的に読み取ることができる光学式読み取り装置と、
前記第２ガラスを覆う閉位置と、該第２ガラスを露出させ、前記原稿搬送装置により搬送される原稿を該第２ガラスに臨ませることができる開位置の間を開閉可能に設置された第２ガラスカバーと、
前記原稿搬送装置が閉位置にないときには前記第２ガラスカバーを閉位置に配置し、該原稿搬送装置が閉位置にあるときには該第２ガラスカバーを開位置に配置するカバー開閉装置とを備えており、
前記第２ガラスカバーは、前記原稿搬送装置を閉位置に配置し、該第２ガラスカバーを開位置に配置して、該原稿搬送装置によって前記第２ガラスに臨む位置を通る所定経路を通して原稿を搬送するときに、該原稿が所定経路を通るように原稿を案内するガイド部材として機能することを特徴とする画像読み取り装置。
【請求項２】
所定の定位置に配置した原稿の画像を読み取ることができるとともに、所定の経路中を搬送される原稿の画像をその搬送中に読み取ることもできる画像読み取り装置であって、  所定の定位置に配置した原稿の画像を読み取るときに、その原稿を載置して、原稿画像を臨ませる第１のガラスと、
所定の経路中を搬送される原稿の画像をその搬送中に読み取るときに、その原稿の画像を臨ませる第２のガラスと、
前記第１ガラス及び前記第２ガラスを覆う閉位置と、これらガラスを覆わず、前記第１ガラス上に原稿を載置することができる開位置の間を開閉可能に設置されており、閉位置にあるときには前記第２ガラスに臨む位置を通る所定経路を通して原稿を搬送することができる原稿搬送装置と、
前記第１ガラス上に載置された原稿の画像を光学的に読み取ることができるとともに、前記第２ガラスに臨む位置を搬送される原稿の画像を光学的に読み取ることができる光学式読み取り装置と、
前記第２ガラスを覆う閉位置と、該第２ガラスを露出させ、前記原稿搬送装置により搬送される原稿を該第２ガラスに臨ませることができる開位置の間を開閉可能に設置された第２ガラスカバーと、
前記原稿搬送装置が閉位置にないときには前記第２ガラスカバーを閉位置に配置し、該原稿搬送装置が閉位置にあるときには該第２ガラスカバーを開位置に配置するカバー開閉装置とを備えており、
前記カバー開閉装置は、前記原稿搬送装置が閉位置にあるか否かを検出するためのセンサ、前記第２ガラスカバーを開閉するためのカバー開閉機構及び前記カバー開閉機構を駆動して該第２ガラスカバーを開閉することができるモータを備えており、該センサにより該原稿搬送装置が閉位置にあると検出されているときには該モータで該第２ガラスカバーを開位置に配置し、該センサにより該原稿搬送装置が閉位置にないと検出されているときには該モータで該第２ガラスカバーを閉位置に配置することを特徴とする画像読み取り装置。
【請求項３】
前記カバー開閉装置は、前記センサにより前記原稿搬送装置が閉位置にないと検出されているときでも、前記第２ガラスカバーを開位置に配置するように前記モータに指令するための入力装置を備えている請求項２記載の画像読み取り装置。
【発明の詳細な説明】
【０００１】
【発明の属する技術分野】
本発明は、光学的に原稿画像を読み取るためのイメージスキャナ等の画像読み取り装置、特に所定の定位置に配置した原稿の画像を読み取るときにその原稿を載置するための第１のガラスと、所定の経路中を搬送される原稿の画像をその搬送中に読み取るときにその原稿を臨ませる第２のガラスとを備える画像読み取り装置に関する。
【０００２】
【従来の技術】
原稿画像を光学的に読み取るためのイメージスキャナ等の画像読み取り装置においては、原稿画像光をＣＣＤセンサなどのイメージセンサに入力することで画像読み取りが行われる。画像読み取り装置は、原稿画像を次のように光学的に走査することで、原稿画像の全体を読み取っている。
【０００３】
例えば原稿を載置するためのガラスを備え、イメージセンサに原稿画像光を入力するためのランプ、ミラー等の光学機器を原稿が載置されたガラスに平行に移動させることで、原稿画像を走査する画像読み取り装置が知られている。また、原稿を載置するためのガラスを備え、イメージセンサ自身を原稿が載置されたガラスに平行に移動させることで、原稿画像を走査する画像読み取り装置も知られている。これら二つのタイプの画像読み取り装置では、通常、ガラス上に載置された原稿を押さえたり、画像読み取り中にガラスを通して外乱光がイメージセンサに入力するのを防止するためのカバーが設けられており、カバーはガラス上に原稿をセットできるように開閉可能に設置されている。
【０００４】
上記二つのタイプの画像読み取り装置では、原稿は画像読み取り中定位置（ガラス上）に静止している。このような原稿静止型の画像読み取り装置とは逆に、イメージセンサや、イメージセンサに原稿画像光を入力するための光学機器は所定の位置に静止させておき、原稿を移動させることで、原稿画像が光学的に走査される原稿移動型の画像読み取り装置も知られている。
【０００５】
例えば所定の経路を通して原稿を搬送することができる原稿搬送装置と、所定経路を通して原稿が搬送されるときに原稿の画像面が臨む位置に配置されたガラスと、そのガラスを通して入力される原稿画像光を読み取るためのイメージセンサを含む光学式読み取り装置を備える画像読み取り装置が知られている。このような原稿移動型の画像読み取り装置においては、通常、原稿搬送装置はセットされた複数の原稿から原稿を一枚ずつ取り出して原稿を搬送することができるので、複数の原稿の画像を順次読み取ることができ、原稿静止型の画像読み取り装置に比べて複数の原稿画像を効率よく読み取ることができる。
【０００６】
ところが、このような原稿移動型の画像読み取り装置では、皺のある原稿、ステープラーの針で留められた原稿、クリップで留められた原稿など原稿搬送装置での搬送に適さない、或いは原稿搬送装置で搬送できない原稿があり、このような原稿については画像読み取りを行うことができない。また、原稿移動型の画像読み取り装置では、ブック原稿についても画像を読み取ることができない。
【０００７】
そのため、原稿静止型の画像読み取り装置と、原稿移動型の画像読み取り装置を組み合わせた画像読み取り装置が提案されている。このような組み合わせ型の画像読み取り装置においては、例えば原稿を載置するためのガラスと、原稿を搬送しながら原稿画像を読み取るときに原稿を臨ませるガラスが並べて配置され、原稿搬送装置がこれらガラスの外乱光の防止などのためのカバーを兼用し、原稿搬送装置は開閉可能に設置されている。
【０００８】
【発明が解決しようとする課題】
ところが、このような組み合わせ型の画像読み取り装置において、原稿をガラス上にセットするなどのために原稿搬送装置を開けたとき、ユーザーがガラスに触れると、ガラスが汚れて、鮮明な読み取り画像を得ることができない。ガラス上に載置した原稿の画像を読み取るときには、読み取り画像にはスポット状にしか汚れが現れないが、原稿を搬送しながら画像読み取りを行うときには、読み取り画像には線状、或いは帯状に汚れが現れるので、原稿を搬送しながら画像読み取りを行うときに原稿を臨ませるガラスが汚れてしまうと、その影響は大きい。
【０００９】
このような汚れがついたときのために、ガラスを拭いてその汚れを自動的に清掃するための自動清掃装置を設けることも考えられるが、ユーザーがガラスに触ってできた汚れは皮脂によるものが多く、ガラスを拭く程度ではその汚れを完全に除去することは難しい。
そこで本発明は、所定の定位置に配置した原稿の画像を読み取ることができるとともに、所定の経路中を搬送される原稿の画像をその搬送中に読み取ることもでき、所定の定位置に配置した原稿の画像を読み取るときにその原稿を載置するための第１のガラスと、所定の経路中を搬送される原稿の画像をその搬送中に読み取るときにその原稿を臨ませる第２のガラスとを備える画像読み取り装置であって、第２ガラスが汚れることで読み取り画像が不鮮明になることを抑制し、良好な画像読み取りを行うことができる画像読み取り装置を提供することを課題とする。
【００１０】
【課題を解決するための手段】
前記課題を解決するために本発明は、
所定の定位置に配置した原稿の画像を読み取ることができるとともに、所定の経路中を搬送される原稿の画像をその搬送中に読み取ることもできる画像読み取り装置であって、  所定の定位置に配置した原稿の画像を読み取るときに、その原稿を載置して、原稿画像を臨ませる第１のガラスと、
所定の経路中を搬送される原稿の画像をその搬送中に読み取るときに、その原稿の画像を臨ませる第２のガラスと、
前記第１ガラス及び前記第２ガラスを覆う閉位置と、これらガラスを覆わず、前記第１ガラス上に原稿を載置することができる開位置の間を開閉可能に設置されており、閉位置にあるときには前記第２ガラスに臨む位置を通る所定経路を通して原稿を搬送することができる原稿搬送装置と、
前記第１ガラス上に載置された原稿の画像を光学的に読み取ることができるとともに、前記第２ガラスに臨む位置を搬送される原稿の画像を光学的に読み取ることができる光学式読み取り装置と、
前記第２ガラスを覆う閉位置と、該第２ガラスを露出させ、前記原稿搬送装置により搬送される原稿を該第２ガラスに臨ませることができる開位置の間を開閉可能に設置された第２ガラスカバーと、
前記原稿搬送装置が閉位置にないときには前記第２ガラスカバーを閉位置に配置し、該原稿搬送装置が閉位置にあるときには該第２ガラスカバーを開位置に配置するカバー開閉装置とを備えた画像読み取り装置を提供する。
【００１１】
本発明の画像読み取り装置は、例えばイメージスキャナとして利用することができる。また、本発明の画像読み取り装置は、複写機に搭載して利用することもできる。
本発明の画像読み取り装置は、第１ガラス、第２ガラス、原稿搬送装置、光学式読み取り装置、第２ガラスカバー及びカバー開閉装置を備えている。
【００１２】
原稿搬送装置は、第１ガラス及び第２ガラスを覆う閉位置と、これらガラスを覆わず、第１ガラス上に原稿を載置することができる開位置の間を開閉可能に設置されている。原稿搬送装置は、例えばヒンジ連結により開閉できるようにすればよい。
原稿搬送装置が閉位置にあるときには、原稿搬送装置は第２ガラスに臨む位置を通る所定経路を通して原稿を搬送することができる。原稿搬送装置には、搬送する原稿（画像読み取りを行う原稿）をセットするためのトレイなどを設けてもよい。原稿搬送装置には、原稿搬送装置によって所定経路を通して原稿が搬送されるときに、読み取る画像面が第２ガラスに臨むように原稿をセットする。
【００１３】
第１ガラスには、原稿搬送装置によって搬送するのに適さない原稿などの画像を読み取るときに、その原稿を載置する。原稿は読み取る画像面が第１ガラスに臨むように第１ガラス上に載置する。第１ガラス上には原稿搬送装置によって搬送できる原稿を載置してもよい。
光学式読み取り装置は、第１ガラス上に載置された原稿の画像を読み取ることができるとともに、原稿搬送装置によって第２ガラスに臨む位置を搬送される原稿の画像も読み取ることもできる。光学式読み取り装置としては、例えば第１ガラス又は第２ガラスを通して原稿画像面に光を当てるためのランプ、原稿画像面からの反射光を読み取るためのイメージセンサを含むものを挙げることができる。
【００１４】
第２ガラスに対してはカバーが設けられている。第２ガラスカバーは、第２ガラスを覆う閉位置と、第２ガラスを露出させて、原稿搬送装置によって搬送される原稿を第２ガラスに臨ませることができる開位置の間で開閉可能に設置されている。カバーが開位置にあるとき、第２ガラスに臨む位置を通される原稿の画像面のうち光学式読み取り装置によって読み取られる部分に臨む第２ガラス部分さえ少なくとも露出していればよい。したがって、カバーが開位置にあるとき、第２ガラスの一部がカバーによって覆われていてもよい。
【００１５】
第２ガラスカバーは、例えば第２ガラスに対してスライドさせることで、閉位置と開位置の間を移動できるように設置すればよい。
第２ガラスカバーは、カバー開閉装置により原稿搬送装置が閉位置にないときには閉位置に配置される。原稿搬送装置が閉位置にあるときには、第２ガラスカバーはカバー開閉装置により開位置に配置され、原稿搬送装置によって搬送される原稿を第２ガラスに臨ませることができる。
【００１６】
このように原稿搬送装置の開閉状態に応じて開閉する第２ガラスカバーを設けたことで、第１ガラス上に原稿をセットするなどのために原稿搬送装置を開位置に配置するときには、第２ガラスはカバーにより覆われているため、ユーザーは第２ガラスに触れることができない。これにより、第２ガラスが皮脂などによって汚れることを防止できる。また、第２ガラスに埃が付着したり、第２ガラスが傷つくことも防止できる。したがって、長期にわたり第２ガラスを汚れなどないクリーンな状態に保つことができ、第２ガラスに臨む位置を搬送される原稿の画像を読み取るときには、それだけ良好な画像読み取りを行うことができる。
【００１７】
前述のように第２ガラスカバーを第２ガラスに対してスライド可能に設置する場合には、第２ガラスカバーに支持させて第２ガラスに臨む清掃部材を配置してもよい。このように清掃部材を配置しておけば、清掃部材は第２ガラスカバーと一体的にスライドするので、第２ガラスカバーが開位置から閉位置へスライドするとき及び（又は）該第２ガラスカバーが閉位置から開位置にスライドするときには、清掃部材によって第２ガラスを清掃することができる。第２ガラスに臨む位置を搬送される原稿の紙粉などが、第２ガラスに付着してしまったときでも、清掃部材により紙粉などを清掃できる。清掃部材としては、例えばブラシや、発泡ウレタン等の発泡材を挙げることができる。
【００１８】
原稿搬送装置を閉位置に配置し、第２ガラスカバーを開位置に配置して、原稿搬送装置によって第２ガラスに臨む位置を通る所定経路を通して原稿を搬送するときには、第２ガラスカバーによって原稿が所定経路を通るように案内してもよい。すなわち、第２ガラスカバーに原稿を案内するガイド部材の機能を持たせてもよい。このとき、第２ガラスカバーは、原稿を通す所定経路を形成する形状にしておけばよい。
【００１９】
カバー開閉装置は、例えば、原稿搬送装置が閉位置にあるか否かを検出するためのセンサ、第２ガラスカバーを開閉するためのカバー開閉機構及びカバー開閉機構を駆動して第２ガラスカバーを開閉することができるモータを含むものを挙げることができる。カバー開閉機構は、一方で第２ガラスカバーに接続されて、他方でモータに接続された機械的な機構である。モータは、回転モータでも、リニアモータでもよい。センサにより原稿搬送装置が閉位置にあると検出されているときには第２ガラスカバーを開位置に配置するようにモータを駆動し、センサにより原稿搬送装置が閉位置にないと検出されているときには第２ガラスカバーを閉位置に配置するようにモータを駆動すればよい。該センサにより原稿搬送装置が閉位置にないと検出され、通常であれば第２ガラスカバーが閉位置に配置されるべきときでも、第２ガラスカバーを開位置に配置するようにモータに指令するためのスイッチなどの入力装置を設けてもよい。第２ガラスに臨む位置を搬送される原稿によって第２ガラスが汚れるなどしても、入力装置からモータに指令を出せば、原稿搬送装置を開いた状態で第２ガラスカバーを開けて、第２ガラスを露出させることができ、第２ガラスを清掃することができる。
【００２０】
【発明の実施の形態】
以下、本発明の実施の形態を図面を参照して説明する。
図１に本発明に係る画像読み取り装置の一形態であるイメージスキャナの概略斜視図を示す。また、このイメージスキャナの側面からみた概略構成図を図２に示す。
【００２１】
このイメージスキャナは、後述するように所定の定位置に載置した原稿の画像を読み取ることができるとともに、所定の経路中を搬送される原稿の画像をその搬送中に読み取ることもできる。
イメージスキャナは、原稿の画像を光学的に読み取るための光学機器などを有する光学式読み取り装置ＯＲＤと、光学式読み取り装置ＯＲＤの上部に配置された原稿搬送装置ＤＦとを備えている。
【００２２】
原稿搬送装置ＤＦは、図３に示すようにヒンジＨ１、Ｈ２によって光学式読み取り装置ＯＲＤに対して開閉可能に取り付けられている。原稿搬送装置ＤＦは、手動にて図１に示す閉位置から、図３に示す開位置までの間で開閉することができる。
原稿搬送装置ＤＦは、複数の原稿の画像を連続して読み取るなどのときに使用される。原稿搬送装置ＤＦは、画像読み取りを行う複数のシート状の原稿Ｄをセットするための原稿トレイ１１と、画像読み取りが終了した原稿をスタックするための排出トレイ１２を備えている。原稿トレイ１１には、画像面を上にして原稿をセットする。原稿トレイ１１の下部にはセンサＳＥ１が配置されており、トレイ１１上に原稿が有るか否かを検出することができる。
【００２３】
原稿搬送装置ＤＦには、図２に示すように原稿搬送ガイド部材１３１、１３２、１３３、１３４、１３５によって、原稿トレイ１１から排出トレイ１２まで続く原稿搬送路Ｐが形成されている。搬送路Ｐ中には、ピックアップローラｒ１、互いに対向するフィードローラｒ２及びさばきローラｒ３、フィードローラ対ｒ４、ｒ５、ｒ６、ｒ７が順に配置されている。
【００２４】
原稿トレイ１１上に載置された原稿の画像を読み取るときには、原稿搬送装置ＤＦを閉じた状態で、次のように原稿トレイ１１上に載置された複数の原稿の中から一枚ずつ原稿を取り出し、その原稿を搬送路Ｐを通して、排出トレイ１２まで搬送する。
ピックアップローラｒ１を図２中反時計回りに回転駆動することで、原稿トレイ１１上に載置された複数の原稿のうち上側の数枚又は最上層の一枚だけをフィードローラｒ２及びさばきローラｒ３の方に送り出すことができる。フィードローラｒ２とさばきローラｒ３の間に突入した数枚の原稿は、これらローラによって次のようにして最上層の一枚の原稿だけがローラ対ｒ４の方に送り出される。フィードローラｒ２は原稿搬送時には図中反時計回りに回転駆動される。さばきローラｒ３は、回転可能に支持された状態で、フィードローラｒ２に図示を省略したバネによって弾性的に圧接している。さばきローラｒ３には図示を省略したトルクリミッタが取り付けられおり、ローラｒ２とｒ３の間に複数枚の原稿が突入したときには、トルクリミッタによってさばきローラｒ３の回転は制限され、静止したままの状態となり、複数枚の原稿のうち最上層の原稿より下の原稿の進行を阻止することができる。これにより、ローラｒ２とｒ３の間に突入した複数の原稿のうち最上層の原稿だけをローラ対ｒ４の方に送り出すことができる。また、フィードローラｒ２とさばきローラｒ３の間に一枚の原稿だけが突入したときには、トルクリミッタはさばきローラｒ３の回転を制限せず、さばきローラｒ３はローラｒ２によって搬送される原稿との摩擦力で時計回りに従動回転して、その原稿をローラ対ｒ４の方向に送り出すことができる。
【００２５】
ローラｒ１、ｒ２、ｒ３などによって原稿トレイ１１から一枚だけ取り出された原稿は、ローラ対ｒ４、ｒ５、ｒ６及びｒ７を回転駆動することで、排出トレイ１２まで搬送することができる。原稿は、所定の定速度で移動するように搬送される。
このようにして原稿トレイ１１から排出トレイ１２まで搬送される原稿は、その途中において、光学式読み取り装置ＯＲＤが備えるスリットガラス（細幅帯状のガラス）Ｇ２に臨む位置を通される。原稿は、その画像面をスリットガラスＧ２に臨ませつつ搬送される。原稿はその画像面がスリットガラスＧ２に接触しつつ搬送される。
【００２６】
光学式読み取り装置ＯＲＤは、その上部にプラテンガラスＧ１と、前述のように原稿搬送装置ＤＦによって原稿が搬送されるときに原稿画像面が臨むスリットガラスＧ２を備えている。光学式読み取り装置ＯＲＤは、スリットガラスＧ２の汚れを防止するなどのためのカバー２も備えている。
プラテンガラスＧ１は、原稿搬送装置ＤＦでの搬送に適さない例えばステープラーの針や、クリップのついた原稿などの画像を読み取るときに、原稿を載置するための原稿台として使用される。原稿搬送装置ＤＦで搬送することができる原稿についても、勿論プラテンガラスＧ１上に載置して画像読み取りを行うことができる。原稿は、原稿搬送装置ＤＦを手で開けて、読み取る画像面を下にしてプラテンガラスＧ１上にセットする。
【００２７】
原稿をプラテンガラスＧ１上に載置した状態で、原稿搬送装置ＤＦを閉じると、原稿搬送装置ＤＦによって原稿やプラテンガラスＧ１をこれらの上部から覆うことができる。これにより、外乱光がプラテンガラスＧ１を通して光学式読み取り装置ＯＲＤの内部に侵入し、ガラスＧ１の下部に配置された後述する光学機器に到達することを防止できる。原稿搬送装置ＤＦの光学式読み取り装置ＯＲＤに臨む面には、図３に示すように二つのマグネット３１、３２が配置されており、プラテンガラスＧ１上に多少厚手の原稿が載置されたときなどでも、これらマグネットが光学式読み取り装置ＯＲＤに吸着することで、原稿搬送装置ＤＦを閉じた状態にすることができる。原稿搬送装置ＤＦを閉じた状態で、原稿搬送装置ＤＦによって原稿を搬送するときにも、スリットガラスＧ２の上部は原稿搬送装置ＤＦによって覆われ、スリットガラスＧ２を通して、ガラスＧ２の下部に配置された光学機器に外乱光が到達することを防止できる。
【００２８】
プラテンガラスＧ１及びスリットガラスＧ２の下部には、ガラスＧ１上に載置された原稿の画像又はガラスＧ２に臨む位置を原稿搬送装置ＤＦによって搬送される原稿の画像を読み取るために、ランプＬＰ、三つのミラーｍ１、ｍ２、ｍ３及びレンズＬＳを含む光学機器並びにイメージセンサＩＳが配置されている。
ランプＬＰ及びミラーｍ１は、プラテンガラスＧ１に平行に往復移動可能なスライダＳＬ１上に配置されている。また、ミラーｍ２及びｍ３は、プラテンガラスＧ１に平行に往復移動可能なスライダＳＬ２上に配置されている。レンズＬＳ及びイメージセンサＩＳは、それぞれ定位置に配置されている。
【００２９】
ランプＬＰはガラスＧ１又はＧ２を通して原稿画像面に光を当てることができる。三つのミラーｍ１、ｍ２、ｍ３は、原稿画像面によって反射された原稿画像光をレンズＬＳに導くことができる。レンズＬＳは原稿画像光をイメージセンサＩＳ上に結像することができる。イメージセンサＩＳは、入力される原稿画像光を読み取ることができる。イメージセンサＩＳは、本例ではＣＣＤセンサである。
【００３０】
カバー２はスリットガラスＧ２に対してスライド可能に支持されており、図３及び図４に示すガラスＧ２の全面を覆う閉位置から、図２及び図５に示すガラスＧ２が露出する開位置の間をスライドさせることができる。
カバー２の両端下面には、図４及び図５に示すようにラックギア２１、２２が形成されており、これらラックギアにそれぞれ噛み合うピニオンギアｐｇ１、ｐｇ２を回すことで、カバー２をスライドさせることができる。ピニオンギアｐｇ１とｐｇ２は、いずれもシャフト５１に嵌まっており、これらギアは一体的に回転する。一方のピニオンギアｐｇ１には、回転モータＭ１のモータシャフトに嵌められたギアｇ１が噛み合っており、モータＭ１を駆動することで、ピニオンギアｐｇ１、ｐｇ２を回し、カバー２をスライドさせることができる。
【００３１】
モータＭ１の駆動は、図示を省略したモータ駆動回路によって行われる。モータ駆動回路は光学式読み取り装置ＯＲＤに配置された磁気センサＳＥ２（図３参照）の検出情報に基づきカバー２を開閉する。センサＳＥ２は、原稿搬送装置ＤＦが閉じられたときに、原稿搬送装置ＤＦに配置されているマグネット３１が臨む位置に配置されている。
【００３２】
原稿搬送装置ＤＦが閉位置にあり、センサＳＥ２がマグネット３１の磁気を検出しているときには、モータ駆動回路はカバー２を開けるようにモータＭ１を駆動する。また、原稿搬送装置ＤＦが閉位置になく、センサＳＥ２が磁気を検出していないときには、モータ駆動回路はカバー２を閉じるようにモータＭ１を駆動する。なお、ギアｇ１、ｐｇ１、ｐｇ２及びシャフト５１はカバー開閉機構を構成しており、モータＭ１、モータ駆動回路及びセンサＳＥ２とともにカバー２の開閉装置を構成している。
【００３３】
カバー２の上部には図２及び図５に示すように傾斜面２３が形成されており、原稿搬送装置ＤＦを閉じ、カバー２を開けた状態にて、原稿搬送装置ＤＦで原稿の搬送を行うとき、カバー２はその傾斜面２３で原稿Ｄの搬送ガイド部材の機能も果たす。このとき、カバー２は前記原稿搬送路Ｐの一部を形成している。スリットガラスＧ２の原稿搬送方向下流側には、ガラスＧ２に臨む位置を搬送される原稿をガラスＧ２面上からすくいあげるための傾斜面１４１を有するガイド部材１４が配置されている。このガイド部材１４も、原稿搬送路Ｐの一部を形成している。
【００３４】
原稿画像は次のようにして読み取ることができる。
（Ａ）プラテンガラスＧ１上に原稿をセットして原稿画像を読み取る場合
原稿搬送装置ＤＦでの原稿搬送に適さない原稿等については、原稿搬送装置ＤＦを手で開けてプラテンガラスＧ１上に載置する。原稿は画像面を下にしてプラテンガラスＧ１上にセットする。
【００３５】
イメージスキャナはコンピュータに接続されて、コンピュータからの指令で読み取り動作を開始する。
光学式読み取り装置ＯＲＤは、原稿搬送装置ＤＦの原稿トレイ１１下部に配置されたセンサＳＥ１によって、トレイ１１上に原稿がないときと検出されているときには、プラテンガラスＧ１上に原稿がセットされているものとして読み取り動作を行う。原稿搬送装置ＤＦは、トレイ１１上に原稿がないとセンサＳＥ１により検出されているときには、原稿の搬送動作を行わない。
【００３６】
プラテンガラスＧ１上に原稿がセットされて、原稿トレイ１１上に原稿がないときにコンピュータから読み取り開始の指令が入力された場合には、まず、スライダＳＬ１、ＳＬ２はそれぞれ図２で示す位置より図中左側寄りのホームポジションに配置される。そして、その位置からこれらスライダＳＬ１、ＳＬ２はいずれも同じ方向（図２中右方向）にプラテンガラスＧ１と平行に（原稿画像面と平行に）駆動される。このとき、プラテンガラスＧ１上の原稿の画像面からイメージセンサＩＳに至る光路長が所定の光路長に一定に保たれるように、スライダＳＬ１の移動距離とスライダＳＬ２の移動距離が２：１になるようにこれらスライダは駆動される。この間、スライダＳＬ１上のランプは点灯される。そして、ランプＬＰから照射され、原稿画像面で反射された画像光は、ミラーｍ１、ｍ２、ｍ３によって順次レンズＬＳに導かれる。レンズＬＳによってイメージセンサＩＳ上に結像された画像光は、イメージセンサＩＳによって電気信号に変換されて、順次コンピュータに向け出力される。二つのスライダを原稿画像面と平行に移動させることで、画像面全体を光学的に走査し、原稿画像の全体を読み取ることができる。
【００３７】
原稿をプラテンガラスＧ１上にセットした後、原稿搬送装置ＤＦを閉じておけば、ガラスＧ１を通して外乱光がイメージセンサＩＳに入射することを防止でき、それだけ良好な画像読み取りを行うことができる。
（Ｂ）原稿搬送装置ＤＦを利用して原稿画像を読み取る場合
原稿搬送装置ＤＦで搬送できる原稿については、原稿トレイ１１上にセットすれば画像読み取りを行うことができる。原稿は原稿搬送装置ＤＦを閉じた状態で、画像面を上にして原稿トレイ１１上にセットする。原稿搬送装置ＤＦが閉じているため、カバー２は開いており、スリットガラスＧ２は露出している。
【００３８】
原稿トレイ１１上に原稿がセットされて、トレイ１１の下部に配置されているセンサＳＥ１によって原稿が検出されているときに、コンピュータから画像読み取り開始の指令が入力されると、光学式読み取り装置ＯＲＤの二つのスライダは駆動されて、次の位置に配置される。スライダＳＬ１はスリットガラスＧ２の真下に配置される。スライダＳＬ２は光路長が前記所定の光路長になる位置に配置される。これらスライダは、画像読み取り中はそれぞれ上記の位置で静止している。
【００３９】
原稿搬送装置ＤＦは、原稿トレイ１１上の原稿を前述のようにして一枚ずつ排出トレイ１２まで搬送する。原稿はスリットガラスＧ２に臨む位置を、読み取る画像面をガラスＧ２に向けて搬送される。この間、ランプＬＰから照射され、原稿画像面で反射された原稿画像光は、前述のように順次イメージセンサＩＳによって電気信号に変換されて、コンピュータに向け出力される。原稿を移動させることで、画像面全体を光学的に走査し、原稿画像の全体を読み取ることができる。
【００４０】
原稿トレイ１１に複数の原稿がセットされているときには、これら原稿は一枚ずつ順に搬送され、これら原稿の画像を順に読み取ることができる。プラテンガラスＧ１上に複数の原稿を順にセットして、これら複数の原稿の画像を順に読み取るときに比べて、手間少なく、効率的に画像読み取りを行うことができる。
本発明に係るイメージスキャナにおいては、プラテンガラスＧ１上に原稿をセットするなどのために原稿搬送装置ＤＦを開けると、モータＭ１によってカバー２は閉じられ、スリットガラスＧ２はカバー２により覆われる。これにより、ユーザはスリットガラスＧ２に触ることができず、スリットガラスＧ２が皮脂などによって汚れることを防止できる。また、スリットガラスＧ２に埃が付着したり、ガラスＧ２が傷つくことも防止できる。したがって、長期にわたりスリットガラスＧ２を汚れなどないクリーンな状態に保つことができ、ガラスＧ２を通して原稿画像を読み取るときには、それだけ良好な画像読み取りを行うことができる。
【００４１】
図６（Ａ）及び（Ｂ）に示すように、カバー２のスリットガラスＧ２に臨む下面にブラシ４を支持させておけば、原稿搬送装置ＤＦの開閉に伴いカバー２がスライドするときに、ブラシ４がガラスＧ２を拭き払うので、ガラスＧ２に搬送される原稿の紙粉などが付着しても、その紙粉などを除去できる。また、搬送される原稿によってスリットガラスＧ２が汚されても、ブラシ４によってその汚れを除去できる。スリットガラスＧ２を清掃するための清掃部材は、ブラシに限定されず、例えば発泡ウレタンなどの発泡材を採用してもよい。
【００４２】
原稿搬送装置ＤＦが閉位置になく、通常であればカバー２がスリットガラスＧ２を覆っている場合でも、イメージスキャナにメンテナンス用のスイッチを設けておき、そのスイッチを押せばモータＭ１を駆動してカバー２を開けることができるようにしてもよい。このようにしておけば、スリットガラスＧ２が原稿搬送装置ＤＦによって搬送される原稿によって汚されるなどしても、サービスマンやユーザーは、装置を分解することなどなくスリットガラスＧ２を露出させて、容易にガラスＧ２を清掃できる。
【００４３】
原稿搬送装置ＤＦが閉位置にあるか否かは、本例においては原稿搬送装置側に設けたマグネット３１と光学式読み取り装置側ＯＲＤに設けた磁気センサＳＥ２の組み合わせにより検出したが、これに代えて次のように行ってもよい。例えば、図７（Ａ）及び（Ｂ）に示すイメージスキャナにおいては、光学式読み取り装置ＯＲＤ側にフォトインタラプター型のセンサＳＥ３と、シャフト５２を中心に揺動可能なＬ字形のレバー５０が配置されている。レバー５０は、両端がそれぞれレバー５０とシャフト５２に係止されたコイルバネ５３によって付勢されている。図７（Ａ）に示すように原稿搬送装置ＤＦが開いているときには、レバー５０は光学式読み取り装置ＯＲＤから一部突出しており、レバー５０はセンサＳＥ３の発光素子（図示せず）から受光素子（図示せず）に向けて照射される光は遮っておらず、原稿搬送装置ＤＦが閉位置にないことを検出できる。また、図７（Ｂ）に示すように原稿搬送装置ＤＦが閉じているときには、レバー５０は原稿搬送装置ＤＦに押されて揺動し、センサＳＥ３の発光素子から受光素子に向けて照射される光を遮えぎる位置に配置される。これにより、原稿搬送装置ＤＦが閉位置にあることを検出できる。
【００４４】
カバー２の開閉は、本例においてはモータＭ１でカバー２のラックギア２１に噛み合うピニオンギアｐｇ１を回すことで行ったが、参考までに言えば、これに代えて次のように行ってもよい。例えば、原稿搬送装置ＤＦの開閉に機械的に連動させて、ピニオンギアｐｇ１を回してもよい。
図８に示す装置においては、ピニオンギアｐｇ１、ｐｇ２が嵌まったシャフト５１には、さらにギアｇ２が嵌まっている。ギアｇ２にはギアｇ３が噛み合い、ギアｇ３にはラックギアｇ４が噛み合っている。ラックギアｇ４は原稿搬送装置ＤＦに支持されており、原稿搬送装置ＤＦの開閉に伴い上下に移動するので、原稿搬送装置ＤＦの開閉に連動させて、カバー２をスライドさせることができる。
【００４５】
図９に示す装置においては、ピニオンギアｐｇ１、ｐｇ２が嵌まったシャフト５１には、さらにかさ歯ギアｇ５が嵌まっている。かさ歯ギアｇ５にはかさ歯ギアｇ６が噛み合っており、ギアｇ６と一体的に回転するギアｇ７には、扇形ギアｇ８が噛み合っている。扇形ギアｇ８は、原稿搬送装置ＤＦに支持されており、原稿搬送装置ＤＦの開閉に伴い揺動でき、かくして原稿搬送装置ＤＦの開閉に連動させて、カバー２をスライドさせることができる。
【００４６】
なお、以上説明したイメージスキャナにおいては、原稿画像を光学的に走査するために、イメージセンサに原稿画像光を入力するための光学機器を二つのスライダに搭載して、イメージセンサは定位置に配置したが、イメージセンサ及びイメージセンサに原稿画像光を入力するための光学機器を一つのスライダに搭載して、そのスライダを移動させて原稿画像を光学的に走査してもよい。
【００４７】
なお、本発明の画像読み取り装置は、複写機に搭載して利用することもできる。
【００４８】
【発明の効果】
本発明は、所定の定位置に配置した原稿の画像を読み取ることができるとともに、所定の経路中を搬送される原稿の画像をその搬送中に読み取ることもでき、所定の定位置に配置した原稿の画像を読み取るときにその原稿を載置するための第１のガラスと、所定の経路中を搬送される原稿の画像をその搬送中に読み取るときにその原稿を臨ませる第２のガラスとを備える画像読み取り装置であって、第２ガラスが汚れることで読み取り画像が不鮮明になることを抑制し、良好な画像読み取りを行うことができる画像読み取り装置を提供することができる。
【図面の簡単な説明】
【図１】本発明に係る画像読み取り装置の原稿搬送装置が閉位置にある状態を示す概略斜視図である。
【図２】図１に示す画像読み取り装置の概略構成図である。
【図３】図１に示す画像読み取り装置の原稿搬送装置が開位置にある状態を示す概略斜視図である。
【図４】スリットガラスのカバーが閉位置にある状態を示すカバー周辺部分の概略斜視図である。
【図５】スリットガラスのカバーが開位置にある状態を示すカバー周辺部分の概略斜視図である。
【図６】図６（Ａ）及び（Ｂ）はいずれもスリットガラスのカバーの他の例を示す概略断面図であり、図６（Ａ）はカバーが閉位置にある状態を示しており、図６（Ｂ）はカバーが開位置にある状態を示している。
【図７】図７（Ａ）及び（Ｂ）はいずれも原稿搬送装置が閉位置にあるか否かを検出するため機構の他の例を示す概略断面図であり、図７（Ａ）は原稿搬送装置が開位置にある状態を示しており、図７（Ｂ）は原稿搬送装置が閉位置にある状態をしめしている。
【図８】カバーの開閉機構の他の例を示す概略斜視図である。
【図９】カバーの開閉機構のさらに他の例を示す概略斜視図である。
【符号の説明】
ＤＦ  原稿搬送装置
１１  原稿トレイ
１２  排出トレイ
１３１、１３２、１３３、１３４、１３５  原稿搬送ガイド
ＳＥ１  センサ
３１、３２  マグネット
ＯＲＤ  光学式読み取り装置
Ｇ１  プラテンガラス（第１ガラス）
Ｇ２  スリットガラス（第２ガラス）
２  カバー
２１、２２  カバー２のラックギア
２３  カバー２の傾斜面
ＳＬ１、ＳＬ２  スライダ
ＬＰ  ランプ
ｍ１、ｍ２、ｍ３  ミラー
ＬＳ  レンズ
ＩＳ  イメージセンサ
ＳＥ２  センサ
４  ブラシ（清掃部材）
Ｄ  原稿
【図１】
0003665831.tif 000002
【図２】
0003665831.tif 000003
【図３】
0003665831.tif 000004
【図４】
0003665831.tif 000005
【図５】
0003665831.tif 000006
【図６】
0003665831.tif 000007
【図７】
0003665831.tif 000008
【図８】
0003665831.tif 000009
【図９】
0003665831.tif 000010